(57)【要約】【課題】コストをより低減することができるタンパク質溶解用溶媒の提供。【解決手段】ジメチルスルホキシド及び塩化カルシウムを含み、塩化カルシウムの濃度が、０．００１ｍｏｌ／Ｌ以上０．５ｍｏｌ／Ｌ以下である、タンパク質溶解用溶媒。【選択図】なし【特許請求の範囲】
【請求項１】
ジメチルスルホキシド及び塩化カルシウムを含み、
前記塩化カルシウムの濃度が、０．００１ｍｏｌ／Ｌ以上０．５ｍｏｌ／Ｌ以下である、タンパク質溶解用溶媒。
【請求項２】
前記塩化カルシウムの濃度が、０．０２５ｍｏｌ／Ｌ以上０．５ｍｏｌ／Ｌ以下である、請求項１に記載のタンパク質溶解用溶媒。
【請求項３】
前記塩化カルシウムの濃度が、０．０２５ｍｏｌ／Ｌ以上０．１ｍｏｌ／Ｌ以下である、請求項１又は２に記載のタンパク質溶解用溶媒。
【請求項４】
温度が、２０℃以上１００℃以下である、請求項１〜３のいずれか一項に記載のタンパク質溶解用溶媒。
【請求項５】
温度が、５０℃以上７０℃以下である、請求項１〜４のいずれか一項に記載のタンパク質溶解用溶媒。
【請求項６】
請求項１〜５のいずれか一項に記載のタンパク質溶解用溶媒にタンパク質が溶解されている、タンパク質溶液。
【請求項７】
ドープ液である、請求項６に記載のタンパク質溶液。
【請求項８】
前記タンパク質が、構造タンパク質である、請求項６又は７に記載のタンパク質溶液。
【請求項９】
前記構造タンパク質が、クモ糸タンパク質である、請求項８に記載のタンパク質溶液。
【請求項１０】
請求項６〜９のいずれか一項に記載のタンパク質溶液をドープ液とし、
前記ドープ液を凝固液に押し出し、未延伸糸を得る工程を含む、タンパク質繊維の製造方法。
【請求項１１】
前記未延伸糸を延伸する工程を更に含む、請求項１０に記載のタンパク質繊維の製造方法。
【請求項１２】
組換えタンパク質を発現している宿主細胞を、請求項１〜５のいずれか一項に記載のタンパク質溶解用溶媒に溶解させる工程を含む、組換えタンパク質の精製方法。
【請求項１３】
前記組換えタンパク質が、構造タンパク質である、請求項１２に記載の組換えタンパク質の精製方法。
【請求項１４】
前記構造タンパク質が、クモ糸タンパク質である、請求項１３に記載の組換えタンパク質の精製方法。
【発明の詳細な説明】
【技術分野】
【０００１】
本発明は、タンパク質溶解用溶媒、タンパク質溶液、タンパク質繊維の製造方法、及び目的タンパク質の精製方法に関する。
【背景技術】
【０００２】
ジメチルスルホキシド（ＤＭＳＯ）等の極性溶媒は、クモ糸タンパク質及びシルクタンパク質等のタンパク質の溶媒として使用されている。また、これら極性溶媒に、溶解促進剤として無機塩を添加することが知られている（例えば、特許文献１〜３）。
【先行技術文献】
【特許文献】
【０００３】
【特許文献１】特許第５４２７３２２号公報
【特許文献２】特許第５５８４９３２号公報
【特許文献３】国際公開第２０１６／１６３３３７号
【発明の概要】
【発明が解決しようとする課題】
【０００４】
ＤＭＳＯに無機塩（例えば、塩化リチウム）を添加した溶媒は、タンパク質を溶解させる溶媒として極めて優れている。一方、工業的な利用という観点からは、コストをより低減できる溶媒が求められている。
【０００５】
本発明は、コストをより低減できるタンパク質溶解用溶媒の提供を目的とする。
【課題を解決するための手段】
【０００６】
本発明者らは、ＤＭＳＯに無機塩として塩化カルシウムを添加した溶媒は、塩化カルシウム濃度が低くてもタンパク質の溶解性に優れることを見出した。当該溶媒は、塩化カルシウム濃度が低いため、原料費の低減が可能になると共に、タンパク質から無機塩を除去する工程において、洗浄回数を大幅に減らすことが可能になることから、コストをより低減することができる。本発明は、この新規な知見に基づくものである。
【０００７】
本発明は、例えば、以下の各発明に関する。
［１］
ジメチルスルホキシド及び塩化カルシウムを含み、
上記塩化カルシウムの濃度が、０．００１ｍｏｌ／Ｌ以上０．５ｍｏｌ／Ｌ以下である、タンパク質溶解用溶媒。
［２］
上記塩化カルシウムの濃度が、０．０２５ｍｏｌ／Ｌ以上０．５ｍｏｌ／Ｌ以下である、［１］に記載のタンパク質溶解用溶媒。
［３］
上記塩化カルシウムの濃度が、０．０２５ｍｏｌ／Ｌ以上０．１ｍｏｌ／Ｌ以下である、［１］又は［２］に記載のタンパク質溶解用溶媒。
［４］
温度が、２０℃以上１００℃以下である、［１］〜［３］のいずれかに記載のタンパク質溶解用溶媒。
［５］
温度が、５０℃以上７０℃以下である、［１］〜［４］のいずれかに記載のタンパク質溶解用溶媒。
［６］
［１］〜［５］のいずれかに記載のタンパク質溶解用溶媒にタンパク質が溶解している、タンパク質溶液。
［７］
ドープ液である、［６］に記載のタンパク質溶液。
［８］
上記タンパク質が、構造タンパク質である、［６］又は［７］に記載のタンパク質溶液。
［９］
上記構造タンパク質が、クモ糸タンパク質である、［８］に記載のタンパク質溶液。
［１０］
［６］〜［９］のいずれかに記載のタンパク質溶液をドープ液とし、
上記ドープ液を凝固液に押し出し、未延伸糸を得る工程を含む、タンパク質繊維の製造方法。
［１１］
上記未延伸糸を延伸する工程を更に含む、［１０］に記載のタンパク質繊維の製造方法。
［１２］
目的タンパク質を発現している宿主細胞を、［１］〜［５］のいずれかに記載のタンパク質溶解用溶媒に溶解させる工程を含む、目的タンパク質の精製方法。
［１３］
上記目的タンパク質が、構造タンパク質である、［１２］に記載の目的タンパク質の精製方法。
［１４］
上記構造タンパク質が、クモ糸タンパク質である、［１３］に記載の目的タンパク質の精製方法。
【発明の効果】
【０００８】
本発明によれば、コストをより低減することができるタンパク質溶解用溶媒の提供が可能となる。本発明のタンパク質溶解用溶媒は、塩化カルシウム濃度が低くてもタンパク質の溶解性に優れるため、無機塩（塩化カルシウム）の使用量を大幅に低減することができる。これにより、原料費の低減が可能になると共に、タンパク質から無機塩を除去する工程において、洗浄回数を大幅に減らすことが可能になることから、コストをより低減することができる。また、無機塩（塩化カルシウム）の使用量が少なくて済むことから、製造設備等の劣化を抑制することもできる。
【０００９】
更に、本発明によれば、塩化カルシウム濃度を所定の範囲（０．０２５ｍｏｌ／Ｌ以上０．５ｍｏｌ／Ｌ以下）に調整することで、タンパク質溶液のゲル化を抑制することもできる。
【図面の簡単な説明】
【００１０】
【図１】タンパク質繊維の製造装置の一例を示す説明図である。
【図２】タンパク質繊維の製造装置の一例を示す説明図である。図２（Ａ）は、未延伸糸製造装置−１段目延伸装置を示し、図２（Ｂ）は２段目延伸装置を示す。
【図３】タンパク質繊維の製造装置の他の例を示す説明図である。
【図４】タンパク質繊維の製造装置の他の例を示す説明図である。図４（Ａ）は、未延伸糸製造装置を示し、図４（Ｂ）は、乾熱延伸装置を示す。
【図５】実施例におけるＳＤＳ（Ｓｏｄｉｕｍ  ｄｏｄｅｃｙｌ  ｓｕｌｆａｔｅ）−ポリアクリルアミドゲル電気泳動（ＳＤＳ−ＰＡＧＥ）の結果を示す図である。
【図６】実施例におけるＳＤＳ−ＰＡＧＥの結果を示す図である。
【図７】実施例における改変フィブロイン抽出液のゲル化試験の結果を示す図である。
【図８】実施例における各温度及び反応時間条件下での改変フィブロインの粉末回収率を示す図である。
【図９】実施例におけるＳＤＳ−ＰＡＧＥの結果を示す図である。
【発明を実施するための形態】
【００１１】
以下、本発明を実施するための形態について詳細に説明する。ただし、本発明は以下の実施形態に限定されるものではない。
【００１２】
〔１．タンパク質溶解用溶媒〕
本実施形態に係るタンパク質溶解用溶媒は、ジメチルスルホキシド（ＤＭＳＯ）、及び所定濃度の塩化カルシウム（ＣａＣｌ２）を含む。
【００１３】
塩化カルシウムの濃度は、０．００１ｍｏｌ／Ｌ以上０．５ｍｏｌ／Ｌ以下であってよい。本実施形態に係るタンパク質溶解用溶媒は、塩化カルシウム濃度が低くても、タンパク質の溶解性に優れているため、原料費の低減が可能になると共に、タンパク質から無機塩を除去する工程において、洗浄回数を減らすことが可能になることから、コストをより低減することができる。
【００１４】
本実施形態に係るタンパク質溶解用溶媒は、塩化カルシウム濃度が低くてもタンパク質の溶解性に優れていることから、塩化カルシウム濃度を更に低減することもできる。すなわち、塩化カルシウムの濃度は、０．２５ｍｏｌ／Ｌ以下であってもよく、０．１ｍｏｌ／Ｌ以下であってもよく、０．０９ｍｏｌ／Ｌ以下であってもよく、０．０８ｍｏｌ／Ｌ以下であってもよく、０．０７ｍｏｌ／Ｌ以下であってもよく、０．０６ｍｏｌ／Ｌ以下であってもよい。塩化カルシウム濃度をこのように低減した範囲内に調整することにより、上述したコスト低減の効果をより一層顕著に発揮することができる。塩化カルシウム濃度の下限は、０．００１ｍｏｌ／Ｌ以上であれば、充分に優れたタンパク質の溶解性を示すことができる。塩化カルシウム濃度の下限は、タンパク質の溶解性に加えて、タンパク質溶液のゲル化を抑制する観点から、０．０２５ｍｏｌ／Ｌ以上であることが好ましい。
【００１５】
本実施形態に係るタンパク質溶解用溶媒は、更にアルコール及び／又は水を含んでもよい。タンパク質溶解用溶媒を１００質量％としたとき、ＤＭＳＯと塩化カルシウムの割合が２２質量％以上１００質量％以下であり、残余はアルコールを含んでもよい。アルコールとしては、炭素数１〜６の低級アルコールが好ましく、メタノール、エタノール及び２−プロパノールからなる群から選ばれる１種以上のアルコールがより好ましい。また、タンパク質溶解用溶媒を１００質量％としたとき、ＤＭＳＯと塩化カルシウムの割合が１０質量％以上１００質量％以下であり、残余は水を含んでもよい。残余は、水とアルコールを混合してもよい。
【００１６】
本実施形態に係るタンパク質溶解用溶媒の温度は、２０℃以上１００℃以下であることが好ましい。タンパク質溶解用溶媒の温度が２０℃以上であると、タンパク質の溶解性がより一層優れたものとなる。同様の観点から、タンパク質溶解用溶媒の温度は、３０℃以上であることがより好ましく、４０℃以上であることが更に好ましく、５０℃以上であることが更により好ましい。また、タンパク質溶解用溶媒の温度が１００℃以下であると、溶解させたタンパク質の分解をより一層抑制することができる。同様の観点から、タンパク質溶解用溶媒の温度は、９０℃以下であることがより好ましく、８０℃以下であることが更に好ましく、７０℃以下であることが更により好ましい。
【００１７】
〔２．タンパク質溶液〕
本実施形態に係るタンパク質溶液は、上述したタンパク質溶解用溶媒にタンパク質が溶解しているものである。なお、本実施形態に係るタンパク質溶液は、不可避的な含有成分、例えば、タンパク質に含まれている夾雑物等を含むものであってもよい。
【００１８】
＜目的タンパク質＞
溶解させるタンパク質（以下、「目的タンパク質」ということもある。）としては、工業規模での製造が好ましい任意のタンパク質を挙げることができる。目的タンパク質としては、例えば、工業用に利用できるタンパク質、医療用に利用できるタンパク質、構造タンパク質等を挙げることができる。工業用又は医療用に利用できるタンパク質の具体例としては、酵素、制御タンパク質、受容体、ペプチドホルモン、サイトカイン、膜又は輸送タンパク質、予防接種に使用する抗原、ワクチン、抗原結合タンパク質、免疫刺激タンパク質、アレルゲン、完全長抗体又は抗体フラグメント若しくは誘導体を挙げることができる。構造タンパク質の具体例としては、クモ糸タンパク質、シルクタンパク質、コラ−ゲン、レシリン、及びエラスチン、並びにこれら由来のタンパク質等を挙げることができる。
【００１９】
フィブロイン様タンパク質であるクモ糸タンパク質及びシルクタンパク質、並びにこれら由来のタンパク質として、例えば、式１：［（Ａ）ｎモチーフ−ＲＥＰ］ｍで表されるドメイン配列を含むタンパク質が挙げられる。ここで、式１中、（Ａ）ｎモチーフは、アラニン残基を主とするアミノ酸配列を示し、ｎは２〜２０、好ましくは４〜２０、より好ましくは８〜２０、更に好ましくは１０〜２０、更により好ましくは４〜１６、更によりまた好ましくは８〜１６、特に好ましくは１０〜１６の整数であってよい。また、（Ａ）ｎモチーフ中の全アミノ酸残基数に対するアラニン残基数の割合は４０％以上であればよく、６０％以上であることが好ましく、７０％以上であることがより好ましく、８０％以上であることが更に好ましく、９０％以上であることが更により好ましく、１００％（アラニン残基のみで構成されることを意味する。）であってもよい。ＲＥＰは２〜２００アミノ酸残基から構成されるアミノ酸配列を示す。ｍは２〜３００の整数を示す。複数存在する（Ａ）ｎモチーフは、互いに同一のアミノ酸配列でもよく、異なるアミノ酸配列でもよい。複数存在するＲＥＰは、互いに同一のアミノ酸配列でもよく、異なるアミノ酸配列でもよい。クモ糸タンパク質及びシルクタンパク質、並びにこれら由来のタンパク質の具体的としては、配列番号１（ＰＲＴ４１０）、配列番号２（ＰＲＴ５８７）で示されるアミノ酸配列を含むタンパク質を挙げることができる。
【００２０】
クモ糸タンパク質の一種である横糸タンパク質、及びこれに由来するタンパク質としては、例えば、式２：［ＲＥＰ２］ｏで表されるドメイン配列を含むタンパク質を挙げることができる。ここで、式２中、ＲＥＰ２はＧｌｙ−Ｐｒｏ−Ｇｌｙ−Ｇｌｙ−Ｘから構成されるアミノ酸配列を示し、Ｘはアラニン（Ａｌａ）、セリン（Ｓｅｒ）、チロシン（Ｔｙｒ）及びバリン（Ｖａｌ）からなる群から選ばれる一つのアミノ酸を示す。ｏは８〜３００の整数を示す。横糸タンパク質、及びこれに由来するタンパク質の具体的としては、配列番号３（Ｒｅｃｏｍｂｉｎａｎｔ  ｓｐｉｄｅｒ  ｓｉｌｋ  ｐｒｏｔｅｉｎ  Ｆｌａｇ＿９２＿ｓｈｏｒｔ２）で示されるアミノ酸配列を含むタンパク質を挙げることができる。配列番号３で示されるアミノ酸配列は、ＮＣＢＩデータベースから入手したアメリカジョロウグモの鞭毛状絹タンパク質の部分的な配列（ＮＣＢＩアクセッション番号：ＡＡＦ３６０９０、ＧＩ：７１０６２２４）のリピート部分及びモチーフに該当するＮ末端から１２２０残基目から１６５９残基目までのアミノ酸配列（ＰＲ１配列と記す。）と、ＮＣＢＩデータベースから入手したアメリカジョロウグモの鞭毛状絹タンパク質の部分配列（ＮＣＢＩアクセッション番号：ＡＡＣ３８８４７、ＧＩ：２８３３６４９）のＣ末端から８１６残基目から９０７残基目までのＣ末端アミノ酸配列を結合し、結合した配列のＮ末端に配列番号７で示されるアミノ酸配列（タグ配列及びヒンジ配列）が付加されたものである。
【００２１】
コラーゲン、及びこれに由来するタンパク質として、例えば、式３：［ＲＥＰ３］ｐで表されるドメイン配列を含むタンパク質を挙げることができる。ここで、式３中、ｐは５〜３００の整数を示す。ＲＥＰ３は、Ｇｌｙ一Ｘ一Ｙから構成されるアミノ酸配列を示し、Ｘ及びＹはＧｌｙ以外の任意のアミノ酸残基を示す。複数存在するＲＥＰ３は、互いに同一のアミノ酸配列でもよく、異なるアミノ酸配列でもよい。コラーゲン、及びこれに由来するタンパク質の具体的としては、配列番号４（Ｃｏｌｌａｇｅｎ−ｔｙｐｅ４−Ｋａｉ）で示されるアミノ酸配列を含むタンパク質を挙げることができる。配列番号４で示されるアミノ酸配列は、ＮＣＢＩデータベースから入手したヒトのコラーゲンタイプ４の部分的な配列（ＮＣＢＩのＧｅｎＢａｎｋのアクセッション番号：ＣＡＡ５６３３５．１、ＧＩ：３７０２４５２）のリピート部分及びモチーフに該当する３０１残基目から５４０残基目までのアミノ酸配列のＮ末端に配列番号７で示されるアミノ酸配列（タグ配列及びヒンジ配列）が付加されたものである。
【００２２】
レシリン、及びこれに由来するタンパク質として、例えば、式４：［ＲＥＰ４］ｑで表されるドメイン配列を含むタンパク質を挙げることができる。ここで、式４中、ｑは４〜３００の整数を示す。ＲＥＰ４はＳｅｒ一Ｊ一Ｊ一Ｔｙｒ一Ｇｌｙ一Ｕ−Ｐｒｏから構成されるアミノ酸配列を示す。Ｊは任意のアミノ酸残基を示し、特にＡｓｐ、Ｓｅｒ及びＴｈｒからなる群から選ばれるアミノ酸残基であることが好ましい。Ｕは任意のアミノ酸残基を示し、特にＰｒｏ、Ａｌａ、Ｔｈｒ及びＳｅｒからなる群から選ばれるアミノ酸残基であることが好ましい。複数存在するＲＥＰ４は、互いに同一のアミノ酸配列でもよく、異なるアミノ酸配列でもよい。レシリン、及びこれに由来するタンパク質の具体的としては、配列番号５（Ｒｅｓｉｌｉｎ−Ｋａｉ）で示されるアミノ酸配列を含むタンパク質を挙げることができる。配列番号５で示されるアミノ酸配列は、レシリン（ＮＣＢＩのＧｅｎＢａｎｋのアクセッション番号ＮＰ  ６１１１５７、Ｇｌ：２４６５４２４３）のアミノ酸配列において、８７残基目のＴｈｒをＳｅｒに置換し、かつ９５残基目のＡｓｎをＡｓｐに置換した配列の１９残基目から３２１残基目までのアミノ酸配列のＮ末端に配列番号７で示されるアミノ酸配列（タグ配列及びヒンジ配列）が付加されたものである。
【００２３】
エラスチン、及びこれに由来するタンパク質として、例えば、ＮＣＢＩのＧｅｎＢａｎｋのアクセッション番号ＡＡＣ９８３９５（ヒト）、Ｉ４７０７６（ヒツジ）、ＮＰ７８６９６６（ウシ）等のアミノ酸配列を有するタンパク質を挙げることができる。エラスチン、及びこれに由来するタンパク質の具体的としては、配列番号６（ｅｌａｓｔｉｎ  ｓｈｏｒｔ）で示されるアミノ酸配列を含むタンパク質を挙げることができる。配列番号６で示されるアミノ酸配列は、ＮＣＢＩのＧｅｎＢａｎｋのアクセッション番号ＡＡＣ９８３９５のアミノ酸配列の１２１残基目から３９０残基目までのアミノ酸配列のＮ末端に配列番号７で示されるアミノ酸配列（タグ配列及びヒンジ配列）が付加されたものである。
【００２４】
目的タンパク質としては、溶解性がより優れるという観点から、クモ糸タンパク質及びシルクタンパク質、並びにこれら由来のタンパク質等のフィブロイン様タンパク質が好ましく、クモ糸タンパク質、及びこれに由来するタンパク質がより好ましい。
【００２５】
目的タンパク質は、例えば、遺伝子工学的手法を用いた一般的な方法により取得できる。具体的には、例えば、目的タンパク質（例えば、組換えクモ糸タンパク質）は、組換えの対象となる天然型クモ糸タンパク質をコードする遺伝子を含有する発現ベクターで形質転換した宿主を用いて製造することができる。遺伝子の製造方法としては、特に制限されないが、例えば、天然型クモ糸タンパク質をコードする遺伝子をクモ由来の細胞からポリメラーゼ連鎖反応（ＰＣＲ）等で増幅してクローニングする方法、及び化学的に合成する方法が挙げられる。遺伝子の化学的な合成方法としては、特に制限されないが、例えば、ＮＣＢＩのウェブデータベース等より入手した天然型クモ糸タンパク質のアミノ酸配列情報をもとに、ＡＫＴＡ  ｏｌｉｇｏｐｉｌｏｔ  ｐｌｕｓ  １０／１００（ＧＥヘルスケア・ジャパン株式会社）等で自動合成したオリゴヌクレオチドをＰＣＲ等で連結して合成する方法が挙げられる。目的タンパク質には、タンパク質の精製及び確認を容易にするため、アミノ酸配列のＮ末端に開始コドン及びＨｉｓ１０タグからなるアミノ酸配列を付加してもよい。発現ベクターとしては、ＤＮＡ配列からタンパク質を発現し得るプラスミド、ファージ又はウイルス等の発現ベクターを用いることができる。プラスミド型発現ベクターとしては、宿主細胞内で目的の遺伝子が発現し、かつそれ自体が増幅することのできるものであればよく、特に限定されない。具体的には、例えば、宿主として大腸菌Ｒｏｓｅｔｔａ（ＤＥ３）を用いる場合は、ｐＥＴ２２ｂ（＋）プラスミドベクター、ｐＣｏｌｄプラスミドベクター等を用いることができる。プラスミド型発現ベクターとしては、タンパク質の生産性に優れるという観点から、ｐＥＴ２２ｂ（＋）プラスミドベクターを用いることが好ましい。宿主としては、例えば、動物細胞、植物細胞、微生物等を用いることができる。
【００２６】
＜タンパク質溶液の調製方法＞
本実施形態に係るタンパク質溶液は、本発明に係るタンパク質溶解用溶媒に目的タンパク質を溶解させることで得ることができる。目的タンパク質を溶解させる方法は、特に制限されないが、例えば、目的タンパク質を発現している宿主、又は目的タンパク質そのものにタンパク質溶解用溶媒を加える方法が挙げられる。当該方法は、必要に応じて、不溶物を分離することを含んでもよい。不溶物の分離は、沈降物（凝集物）を分離できればよく、特に限定されない。不溶物の分離は、取扱いの簡便性から、濾過による分離及び／又は遠心分離により行うことが好ましい。濾過による分離は、例えば、ろ紙、ろ過膜等を用いて行うことができる。遠心分離の条件は、特に限定されない。例えば、室温（２０±５℃）、８０００×ｇ〜１５０００×ｇで５〜２０分間行うことができる。不溶物の分離は２回以上行ってもよい。
【００２７】
＜ドープ液＞
本実施形態に係るタンパク質溶液は、例えば、ドープ液として用いることができる。本実施形態に係るドープ液は、湿式紡糸に好適に用いることができ、またキャストフィルム液等として有用である。本実施形態に係るドープ液は、例えば、タンパク質溶液の粘度を、紡糸できる粘度に調整して製造される。ドープ液の粘度は、例えば、１００〜１０，０００ｃＰ（センチポイズ）である。ドープ液の粘度の調整は、例えば、溶液中のタンパク質の濃度を調整することで行うことができる。ドープ液の粘度は、例えば、京都電子工業社製の商品名“ＥＭＳ粘度計”を使用して測定することができる。
【００２８】
〔３．タンパク質繊維の製造方法〕
本実施形態に係るタンパク質繊維の製造方法は、本発明に係るタンパク質溶液をドープ液とし、当該ドープ液を凝固液に押し出し、未延伸糸を得る工程（以下、「紡糸工程」ともいう。）を含む。本実施形態に係る製造方法は、未延伸糸を延伸する工程（以下、「延伸工程」ともいう。）を更に含むものであってもよい。
【００２９】
＜紡糸工程＞
本実施形態に係る製造方法は、湿式紡糸を採用するものである。紡糸工程により、ドープ液から目的タンパク質を溶解させた溶媒を除去する（脱溶媒又は凝固ともいう。）と共に繊維形成して未延伸糸を得る。
【００３０】
ドープ液中の目的タンパク質の濃度は、ドープ液全量を基準として、３質量％以上であることが好ましく、１０質量％以上であることがより好ましく、２０質量％以上であることが更に好ましい。目的タンパク質の溶解性を良好に保つ観点から、ドープ液中の目的タンパク質の濃度は、６０質量％以下であることが好ましく、５０質量％以下であることがより好ましく、４０質量％以下であることが更に好ましい。
【００３１】
凝固液は、脱溶媒できるものであれば特に制限されず、例えば、メタノール、エタノール及び２−プロパノール等の炭素数１〜５の低級アルコール、並びにアセトンを使用することができる。凝固液には、適宜水を加えてもよい。凝固液の温度は、例えば、５〜３０℃である。凝固液の温度がこの範囲であれば、より安定に紡糸することができる。
【００３２】
紡糸工程では、例えば、ドープ液を紡糸口金（口金）から脱溶媒槽の凝固液に押し出すことにより、未延伸糸が得られる。ドープ液を、直径０．１〜０．６ｍｍのノズルを有するシリンジポンプから押し出す場合、押し出し速度は、例えば、１ホール当たり０．２〜６．０ｍｌ／時間であってよく、１．４〜４．０ｍｌ／時間であってもよい。押し出し速度がこの範囲であれば、より安定に紡糸することができる。
【００３３】
脱溶媒槽（凝固液槽）の長さは、例えば、２００〜５００ｍｍであってよい。脱溶媒槽からの未延伸糸の引き取り速度は、例えば、１〜１４ｍ／分であってよく、１〜３ｍ／分であってもよい。脱溶媒槽での滞留時間は、例えば、０．０１〜０．１５分であってよい。脱溶媒又は凝固に関する各条件がこれらの範囲であれば、脱溶媒又は凝固をより効率よく行うことができる。また、未延伸糸に対し、凝固液中で延伸（前延伸）を行ってもよいが、凝固液（例えば、低級アルコール）の蒸発し易さを考慮すれば、凝固液は低温に維持し、未延伸糸の状態で引き取るのが好ましい。
【００３４】
＜延伸工程＞
未延伸糸の延伸は、一段延伸で行ってもよいし、２段以上の多段延伸で行ってもよい。目的タンパク質が、天然クモ糸タンパク質に由来するタンパク質等の分子が配向し難いタンパク質である場合、多段延伸を行うにより、分子を多段で配向させることができ、トータル延伸倍率も高くすることができるため、結果としてタフネスの高い繊維を得ることができる。
【００３５】
図１及び図２は、タンパク質繊維の製造装置の一例を示す説明図である。図１に示す製造装置は、紡糸工程と延伸工程（２段延伸）を連続して行う紡糸延伸装置である。紡糸延伸装置１０は、押し出し装置１と、未延伸糸製造装置２と、湿熱延伸装置３と、乾熱延伸装置４を備える。ドープ液６は、貯槽７に貯蔵され、ギアポンプ８により口金９から押し出される。ラボスケールにおいては、ドープ液をシリンダーに充填し、シリンジポンプを用いてノズルから押し出してもよい。押し出されたドープ液６は、エアギャップ１９を介して、又はエアギャップ１９を介さずに直接、凝固液槽２０の凝固液１１内に供給される。凝固液１１内でドープ液６から溶媒が除去され、未延伸糸が形成される。次いで、未延伸糸は、延伸浴槽２１内の温水１２内に供給され、１段目延伸が行われる。延伸倍率は、供給ニップローラ１３と引き取りニップローラ１４との速度比によって決まる。１段目延伸を経た延伸糸は、次いで乾熱延伸装置１７に供給され、糸道２２内で２段目延伸が行われる。２段目延伸を経た延伸糸は、巻き取られて巻糸体５となる。２段目延伸における延伸倍率は供給ニップローラ１５と引き取りニップローラ１６との速度比によって決まる。１８ａ〜１８ｆは糸ガイドである。
【００３６】
図２に示す製造装置は、紡糸工程と延伸工程（２段延伸）を行う紡糸延伸装置である。図２（Ａ）は、未延伸糸製造装置３０及び１段目延伸装置４０を示し、図２（Ｂ）は、２段目延伸装置５０を示す。それぞれの装置ごとに糸を巻き取るか又は巻き取らずに容器に溜めてもよい。未延伸糸製造装置３０においては、押し出し装置（マイクロシリンジ）３１内にドープ液３２を入れておき、シリンジポンプを用いて矢印Ｐ方向に移動させ、ノズル３３からドープ液３２を押し出し、凝固液槽３４内の凝固液３５にドープ液３２を供給し、未延伸糸３６とする。続いて、１段目延伸装置４０においては、未延伸糸３６を延伸浴槽３７内の温水３８内に供給し、１段目延伸し、１段目延伸糸の巻糸体３９とする。延伸倍率は供給ニップローラ４１と引き取りニップローラ４２との速度比によって決まる。次いで巻糸体３９から１段目延伸糸を引き出し、乾熱延伸装置４３に供給し、糸道４７内で２段目延伸する。延伸倍率は供給ニップローラ４５と引き取りニップローラ４６との速度比によって決まる。次いで延伸糸を巻糸体４４に巻き取る。
【００３７】
図３及び図４は、タンパク質繊維の製造装置の他の例を示す説明図である。図３に示す製造装置は、紡糸工程と延伸工程（１段延伸）を連続して行う紡糸延伸装置である。紡糸延伸装置６０は、押し出し装置６１と、未延伸糸製造装置６２と、乾熱延伸装置６３を備える。ドープ液６６は、貯槽６７に貯蔵され、ギアポンプ６８により口金６９から押し出される。ラボスケールにおいては、紡糸液をシリンダーに充填し、シリンジポンプを用いてノズルから押し出してもよい。押し出されたドープ液６６は、エアギャップ７３を介して、又はエアギャップ７３を介さずに直接、凝固液槽７２の凝固液７１内に供給される。凝固液７１内でドープ液６６から溶媒が除去され、未延伸糸が形成される。次いで、未延伸糸は、乾熱延伸装置７７に供給され、糸道７８内で延伸が行われる。延伸を経た延伸糸は、巻き取られ巻糸体６４となる。延伸倍率は供給ニップローラ７５と引き取りニップローラ７６との速度比によって決まる。７４ａ〜７４ｆは糸ガイドである。
【００３８】
図４に示す製造装置は、紡糸工程と延伸工程（１段延伸）を行う紡糸延伸装置である。図４（Ａ）は、未延伸糸製造装置８０を示し、図４（Ｂ）は、乾熱延伸装置９０を示す。それぞれの装置ごとに糸を巻き取るか又は巻き取らずに容器に溜めてもよい。未延伸糸製造装置８０においては、押し出し装置（マイクロシリンジ）８１内にドープ液８２を入れておき、シリンジポンプを用いて矢印Ｐ方向に移動させ、ノズル８３からドープ液８２を押し出し、凝固液槽８４内の凝固液８５に供給し、未延伸糸の巻糸体８６とする。次に、乾熱延伸装置９０においては、巻糸体８６から未延伸糸を引き出し、乾熱延伸装置８９に供給し、糸道９１内で延伸する。延伸倍率は供給ニップローラ８７と引き取りニップローラ８８との速度比によって決まる。次いで延伸糸を巻糸体９２に巻き取る。これにより延伸糸を得る。
【００３９】
〔４．目的タンパク質の精製方法〕
本実施形態に係る目的タンパク質の精製方法は、目的タンパク質を発現している宿主細胞を、本発明に係るタンパク質溶解用溶媒に溶解させる工程（以下、「溶解工程」ともいう。）を含む。
【００４０】
目的タンパク質を発現する宿主細胞は、例えば、目的タンパク質を生来発現する宿主細胞を目的タンパク質の発現量を指標にスクリーニングする方法、目的タンパク質をコードする遺伝子を含有する発現ベクターで形質転換して、目的タンパク質（組換えタンパク質）を発現する宿主細胞（例えば、組換え微生物）を得る方法により得ることができる。目的タンパク質を発現する宿主細胞を常法により培養することで、当該宿主細胞に目的タンパク質を発現させることができる。
【００４１】
目的タンパク質を発現した宿主細胞から当該目的タンパク質を溶解するために添加する本発明に係るタンパク質溶解用溶媒の添加量は特に制限されるものではないが、目的タンパク質の溶解性を高める観点から、例えば、宿主細胞の重量（ｇ）に対するタンパク質溶解用溶媒の体積（ｍＬ）の比（体積（ｍＬ）／重量（ｇ））として、５倍以上であることが好ましく、７倍以上であることがより好ましく、１０倍以上であることが更に好ましい。タンパク質溶解用溶媒を添加する際の宿主細胞は、乾燥した状態でもよく、湿った状態でもよい。
【００４２】
溶解工程を実施する際の温度は、特に限定されないが、例えば、２０℃以上１００℃以下であってよい。当該温度は、目的タンパク質の溶解性をより高める観点から、３０℃以上であることが好ましく、４０℃以上であることがより好ましく、５０℃以上であることが更に好ましい。また、当該温度は、目的タンパク質の分解をより抑制するという観点から、９０℃以下であることがより好ましく、８０℃以下であることが更に好ましく、７０℃以下であることが更により好ましい。溶解工程を実施する時間は、特に限定されないが、例えば、１０〜３００分間であってよく、３０〜１８０分間であることが好ましい。
【００４３】
本実施形態に係る目的タンパク質の精製方法は、溶解工程で得られた宿主細胞の溶解物から不溶物を分離する工程（以下、「分離工程」ともいう。）を更に備えていてもよい。不溶物の分離は、沈降物（凝集物）を分離できればよく、特に限定されない。不溶物の分離は、取扱いの簡便性から、濾過による分離及び／又は遠心分離により行うことが好ましい。濾過による分離は、例えば、ろ紙、ろ過膜等を用いて行うことができる。遠心分離の条件は、特に限定されない。例えば、室温（２０±５℃）、８０００×ｇ〜１５０００×ｇで５〜２０分間行うことができる。不溶物の分離は２回以上行ってもよい。
【００４４】
本実施形態に係る目的タンパク質の精製方法は、溶解工程で得られた宿主細胞の溶解物、又は分離工程で不溶物を分離した溶液に希釈用溶媒を添加する工程を更に備えていてもよい。希釈用溶媒としては、例えば、溶解工程で使用したタンパク質溶解用溶媒、ＤＭＳＯ等が挙げられる。
【００４５】
本実施形態に係る精製方法により得られた目的タンパク質が溶解されたタンパク質溶液は、例えば、目的タンパク質の精製に用いてもよいし、そのままドープ液として用いてもよい。
【実施例】
【００４６】
以下、実施例に基づいて本発明をより具体的に説明する。ただし、本発明は以下の実施例に限定されるものではない。
【００４７】
〔（１）目的タンパク質発現株の作製、及び目的タンパク質の発現〕
目的タンパク質として、ネフィラ・クラビペス（Ｎｅｐｈｉｌａ  ｃｌａｖｉｐｅｓ）由来のフィブロイン（ＧｅｎＢａｎｋアクセッション番号：Ｐ４６８０４．１、ＧＩ：１１７４４１５）の塩基配列及びアミノ酸配列に基づき、配列番号２で示されるアミノ酸配列を有する改変フィブロイン（「ＰＲＴ５８７」ともいう。）を設計した。配列番号２で示されるアミノ酸配列は、ネフィラ・クラビペス由来のフィブロインのアミノ酸配列に対して、生産性の向上を目的としてアミノ酸残基の置換、挿入及び欠失を施したアミノ酸配列を有し、さらにＮ末端にタグ配列及びヒンジ配列を付加したものである。
【００４８】
次に、ＰＲＴ５８７をコードする核酸を合成した。当該核酸には、５’末端にＮｄｅＩサイト及び終止コドン下流にＥｃｏＲＩサイトを付加した。当該核酸をクローニングベクター（ｐＵＣ１１８）にクローニングした。その後、同核酸をＮｄｅＩ及びＥｃｏＲＩで制限酵素処理して切り出した後、タンパク質発現ベクターｐＥＴ−２２ｂ（＋）に組換えて発現ベクターを得た。
【００４９】
得られたｐＥＴ−２２ｂ（＋）発現ベクターで、大腸菌ＢＬＲ（ＤＥ３）を形質転換した。当該形質転換大腸菌を、アンピシリンを含む２ｍＬのＬＢ培地で１５時間培養した。当該培養液を、アンピシリンを含む１００ｍＬのシード培養用培地（表１）にＯＤ６００が０．００５となるように添加した。培養液温度を３０℃に保ち、ＯＤ６００が５になるまでフラスコ培養を行い（約１５時間）、シード培養液を得た。
【表１】
2018178296.tif 000002
【００５０】
当該シード培養液を５００ｍｌの生産培地（表２）を添加したジャーファーメンターにＯＤ６００が０．０５となるように添加した。培養液温度を３７℃に保ち、ｐＨ６．９で一定に制御して培養した。また培養液中の溶存酸素濃度を、溶存酸素飽和濃度の２０％に維持するようにした。
【表２】
2018178296.tif 000003
【００５１】
生産培地中のグルコースが完全に消費された直後に、フィード液（グルコース４５５ｇ／１Ｌ、Ｙｅａｓｔ  Ｅｘｔｒａｃｔ  １２０ｇ／１Ｌ）を１ｍｌ／分の速度で添加した。培養液温度を３７℃に保ち、ｐＨ６．９で一定に制御して培養した。また培養液中の溶存酸素濃度を、溶存酸素飽和濃度の２０％に維持するようにし、２０時間培養を行った。その後、１Ｍのイソプロピル−β−チオガラクトピラノシド（ＩＰＴＧ）を培養液に対して終濃度１ｍＭになるよう添加し、目的タンパク質（改変フィブロイン）を発現誘導させた。ＩＰＴＧ添加後２０時間経過した時点で、培養液を遠心分離し、菌体を回収した。回収した菌体を２０ｍＭ  Ｔｒｉｓ−ＨＣｌ  ｂｕｆｆｅｒ（ｐＨ７．４）で洗浄した。洗浄後の菌体を乾燥して、目的タンパク質を発現する大腸菌の乾燥菌体を所定量得た。なお、ＩＰＴＧ添加前とＩＰＴＧ添加後の培養液から調製した菌体を用いてＳＤＳ−ＰＡＧＥを行い、ＩＰＴＧ添加に依存した目的タンパク質サイズのバンドの出現により、目的タンパク質の発現を確認した。
【００５２】
〔（２）目的タンパク質の精製−タンパク質溶解用溶液の検討〕
上記のようにして得られた、目的タンパク質（改変フィブロイン）を発現している組換え大腸菌の乾燥菌体を１０ｇ計りとり、溶媒を添加した。溶媒として、ＤＭＳＯ（１００ｍＬ）、０．５Ｍ  塩化リチウム（ＬｉＣｌ）を含むＤＭＳＯ（１００ｍＬ）、０．００１Ｍ、０．００５Ｍ、０．０１Ｍ、０．０２５Ｍ、０．０５Ｍ、０．０７５Ｍ、０．１Ｍ又は０．１５Ｍ  塩化カルシウム（ＣａＣｌ２）を含むＤＭＳＯ（各１００ｍＬ）を使用した。溶媒の添加後、６０℃で１時間撹拌しながら熱溶解させた。熱溶解終了後、撹拌しながら１００ｍＬのＲＯ水を添加し、この状態で５分間程撹拌した後、ボトルろ過フィルターに反応溶液を流し込み、真空ポンプで減圧ろ過することで、夾雑物と目的タンパク質溶液（改変フィブロイン抽出液）を分離した。ろ過開始２〜３時間後、ろ液の抽出が完了したことを確認した。
【００５３】
改変フィブロイン抽出液からＳＤＳ−ＰＡＧＥ解析用のサンプルとゲル化確認用のサンプルを分取した後、改変フィブロイン抽出液を１．５倍量のエタノール中に添加し、１０分間静置した。静置後、改変フィブロイン抽出液−エタノールの溶液を撹拌（２００ｒｐｍ）し、貧溶媒による改変フィブロインの析出を確認した。改変フィブロインの析出を確認後、更に１時間５０分静置して析出を進めた。析出終了後、沈殿物を遠心分離（１１，０００ｇ、３０分間、２０℃）で回収し、上清を取り除いた後、上清と等量のＲＯ水を添加した。ＲＯ水添加後、沈殿物を分散機で分散させて沈殿物を洗浄した。洗浄後、溶液の導電率を測定し、溶液の導電率が１００μｓ／ｃｍ以下になるまで遠心分離と洗浄を繰り返した。洗浄終了後、ろ過物を凍結乾燥し、改変フィブロインの粉末を回収した。表３に改変フィブロイン粉末の回収量を示した。
【００５４】
【表３】
2018178296.tif 000004
【００５５】
〔（３）ＳＤＳ−ＰＡＧＥによる解析〕
得られた改変フィブロイン粉末、改変フィブロイン抽出液、及びろ過残渣について、ＳＤＳ−ＰＡＧＥによる解析を行った。
【００５６】
＜タンパク質の定量（ＢＣＡ法）＞
改変フィブロイン粉末、改変フィブロイン抽出液、及びろ過残渣に対してＤＭＳＯを添加した後、１５００ｒｐｍで攪拌しながら、８５℃で３０分間反応させることで各サンプルを溶解させた。溶解後、適宜希釈し、ＢＣＡ  Ｒｅａｇｅｎｔ  Ａを必要量混合し、エッペンチューブに分取した。分取したエッペンチューブにＢＣＡ  Ｒｅａｇｅｎｔ  Ｂを添加し、３７℃で３０分間静置して反応させた。反応終了後、各サンプルの吸光強度の測定を行った。
【００５７】
＜ＳＤＳ−ＰＡＧＥ＞
改変フィブロイン粉末（Ｐｕｒｉｆｉｅｄ  ｓａｍｐｌｅ）、改変フィブロイン抽出液（Ｅｘｔｒａｃｔｉｏｎ  ｓｏｌｕｔｉｏｎ）、及びろ過残渣（Ｒｅｓｉｄｕａｌ  ｄｒｏｓｓ）について、ＢＣＡ法による測定から得られた結果を基に、タンパク質濃度が１０ｍｇ／ｍＬになるようにＳＤＳ−ＰＡＧＥ用サンプルを調製した。Ｍｉｎｉ−ＰＲＯＴＥＡＮ（登録商標）  Ｔｅｔｒａ  ＳｙｓｔｅｍにＭｉｎｉ−ＰＲＯＴＥＡＮ（登録商標）  ＴＧＸ（登録商標）  Ｇｅｌｓをセットし、調製した各ＳＤＳ−ＰＡＧＥ用サンプルをロードし、電気泳動を行った。電気泳動終了後、Ｇｅｌ  ＤＯＣ（登録商標）  ＥＺ  Ｉｍａｇｅｒで解析を行った。結果を図５及び図６に示す。
【００５８】
図５の左の写真及び図６の左の写真は、電気泳動後、全てのタンパク質を染色可能なＯｒｉｏｌｅ（商標）蛍光ゲルステイン（Ｂｉｏ−Ｒａｄ社製）で染色したもの、図５の右の写真及び図６の右の写真は、電気泳動後、ＰＲＴ４１０のＨｉｓタグ領域に反応するＩｎＶｉｓｉｏｎ（商標）Ｈｉｓタグ付きゲル内染色試薬（Ｔｈｅｒｍｏ  Ｆｉｓｈｅｒ  Ｓｃｉｅｎｔｉｆｉｃ社製）で染色したものである。理論分子量が１０５．７ｋＤａのＰＲＴ５８７は、１００ｋＤａ〜１５０ｋＤａの分子量マーカの間にバンドとして検出された。
【００５９】
〔（４）ゲル化の確認〕
改変フィブロイン抽出液を室温で１週間静置した後、当該抽出液のゲル化の有無を確認した。結果の一例を図７に示す。タンパク質溶解用溶媒として、ＣａＣｌ２を０．０２５Ｍ以上含むＤＭＳＯを使用した場合、ゲル化は確認されなかった（ＣａＣｌ２を０．０５Ｍ、０．０７５Ｍ、０．１Ｍ又は０．１５Ｍ含むＤＭＳＯは図示せず。）。
【００６０】
〔（５）目的タンパク質の精製−温度及び時間の検討〕
タンパク質溶解用溶媒として０．０２５ＭのＣａＣｌ２を含むＤＭＳＯを使用した。まず、上記（１）で得られた目的タンパク質（改変フィブロイン）を発現している組換え大腸菌の乾燥菌体を１０ｇ計りとり、タンパク質溶解用溶媒を１００ｍＬ添加したものを必要数用意した。各温度条件（５０℃、６０℃、７０℃又は８０℃）、及び各反応時間条件（各温度条件に対し、０．５時間、１時間、２時間又は６時間）のもと、撹拌しながら熱溶解させた。熱溶解終了後、撹拌しながら１００ｍＬのＲＯ水を添加し、この状態で５分程撹拌した後、ボトルろ過フィルターに反応溶液を流し込み、真空ポンプで減圧ろ過することで、夾雑物と目的タンパク質溶液（改変フィブロイン抽出液）を分離した。ろ過開始２〜３時間後、ろ液の抽出が完了したことを確認した。
【００６１】
改変フィブロイン抽出液からＳＤＳ−ＰＡＧＥ解析用のサンプルを分取した後、改変フィブロイン抽出液を１．５倍量のエタノール中に添加し、１０分間静置した。静置後、改変フィブロイン抽出液−エタノールの溶液を撹拌（２００ｒｐｍ）し、貧溶媒による改変フィブロインの析出を確認した。改変フィブロインの析出を確認後、更に１時間５０分静置して析出を進めた。析出終了後、沈殿物を遠心分離（１１，０００ｇ、３０分間、２０℃）で回収し、上清を取り除いた後、上清と等量のＲＯ水を添加した。ＲＯ水添加後、沈殿物を分散機で分散させて沈殿物を洗浄した。洗浄後、溶液の導電率を測定し、溶液の導電率が１００μｓ／ｃｍ以下になるまで遠心分離と洗浄を繰り返した。洗浄終了後、ろ過物を凍結乾燥し、改変フィブロインの粉末を回収した。ＳＤＳ−ＰＡＧＥによる解析は、上記（３）と同様に行った。結果を図８及び図９、並びに表４に示す。
【００６２】
図８及び表４は、各条件下における改変フィブロインの粉末回収率（％）を示すものである。粉末回収率は、各条件下で得られた改変フィブロイン粉末の回収量から、８０℃で６時間反応させる条件下での回収量を１００％として算出したものである。
【００６３】
【表４】
2018178296.tif 000005
【００６４】
図９は、電気泳動後、全てのタンパク質を染色可能なＯｒｉｏｌｅ（商標）蛍光ゲルステイン（Ｂｉｏ−Ｒａｄ社製）で染色したものである。
【００６５】
〔（６）洗浄回数の比較〕
タンパク質溶解用溶媒として、０．５ＭのＬｉＣｌを含むＤＭＳＯ、及び０．０２５ＭのＣａＣｌ２を含むＤＭＳＯを使用した。まず、上記（１）で得られた目的タンパク質（改変フィブロイン）を発現している組換え大腸菌の乾燥菌体を１０ｇ計りとり、タンパク質溶解用溶媒を各１００ｍＬ添加した。添加後、６０℃で１時間、撹拌しながら熱溶解させた。熱溶解終了後、撹拌しながら１００ｍＬのＲＯ水を添加し、この状態で５分程撹拌した後、ボトルろ過フィルターに対して反応溶液を流し込み、真空ポンプによって減圧ろ過することで、夾雑物と目的タンパク質溶液（改変フィブロイン抽出液）分離した。ろ過開始２〜３時間後、ろ液の抽出が完了したことを確認した。
【００６６】
改変フィブロイン抽出液を１．５倍量のエタノール中に添加し、１０分間静置した。静置後、改変フィブロイン抽出液−エタノールの溶液を撹拌（２００ｒｐｍ）し、貧溶媒による改変フィブロインの析出を確認した。改変フィブロインの析出を確認後、更に１時間５０分静置して析出を進めた。析出終了後、沈殿物を遠心分離（１１，０００ｇ、３０分間、２０℃）で回収し、上清を取り除いた後、沈殿物の約１０倍量のＲＯ水を添加した。ＲＯ水添加後、沈殿物を分散機で分散させて沈殿物を洗浄した。洗浄後、溶液の導電率を測定した。この操作を４回繰り返した。結果を表５に示す。
【００６７】
【表５】
2018178296.tif 000006
【００６８】
タンパク質溶解用溶媒として０．０２５ＭのＣａＣｌ２を含むＤＭＳＯを使用した場合は、０．５ＭのＬｉＣｌを含むＤＭＳＯを使用した場合と比較して、少ない洗浄回数で導電率を低下させること（無機塩を除去すること）ができた。
【符号の説明】
【００６９】
１，３１，６１，８１…押し出し装置、２，３０，６２，８０…未延伸糸製造装置、３，４０…湿熱延伸装置（１段目延伸装置）、４，５０，６３，９０…乾熱延伸装置（２段目延伸装置）、５，３９，４４，６４，８６，９２…巻糸体、６，３２，６６，８２…ドープ液、７，６７…貯槽、８，６８…ギアポンプ、９，６９，８３…口金、１０，６０…紡糸延伸装置、１１，３５，７１，８５…凝固液、３６…未延伸糸、１２，３８…温水、１３，１５，４１，４５，７５，８７…供給ニップローラ、１４，１６，４２，４６，７６，８８…引き取りニップローラ、１７，４３，７７，８９…乾熱延伸装置、１８ａ〜１８ｆ，７４ａ〜７４ｆ…糸ガイド、１９，７３…エアギャップ、２０，３４，７２，８４…凝固液槽、２１，３７…延伸浴槽、２２，４７，７８，９１…糸道。
【図１】
2018178296.tif 000007
【図２】
2018178296.tif 000008
【図３】
2018178296.tif 000009
【図４】
2018178296.tif 000010
【図５】
2018178296.tif 000011
【図６】
2018178296.tif 000012
【図７】
2018178296.tif 000013
【図８】
2018178296.tif 000014
【図９】
2018178296.tif 000015
【配列表】
2018178296000001.app